【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
表示部に、コンテンツを表す第１の表示オブジェクトと、前記第１の表示オブジェクトを格納するための領域とを表示するよう制御する表示制御手段と、
前記第１の表示オブジェクトを前記表示部上で移動させる指示を受け付ける指示受け付け手段と、
前記指示受け付け手段により前記第１の表示オブジェクトが移動された位置を判定する判定手段と、
前記判定手段によって前記第１の表示オブジェクトが移動された位置が前記領域であると判定した場合に、当該第１の表示オブジェクトを当該領域に格納するよう制御し、
前記判定手段によって前記第１の表示オブジェクトが移動された位置が前記領域ではないと判定した場合に、前記判定手段によって判定された位置に当該第１の表示オブジェクトを格納するための領域を新たに生成し、当該新たな領域に当該第１の表示オブジェクトを格納するよう制御する制御手段と
を有することを特徴とするコンテンツ管理装置。
【請求項２】
前記表示制御手段はさらに、前記領域に格納された前記第１の表示オブジェクトに対応するコンテンツに対する処理を指示するための第２の表示オブジェクトを表示するよう制御し、
前記指示受け付け手段はさらに、前記第２の表示オブジェクトを前記表示部上で移動させる指示を受け付け、
前記判定手段はさらに、前記指示受け付け手段により前記第２の表示オブジェクトが移動された位置を判定し、
前記制御手段はさらに、前記判定手段によって前記第２の表示オブジェクトが移動された位置が前記領域であると判定した場合に、当該第２の表示オブジェクトを当該領域に移動して当該領域に格納された前記第１の表示オブジェクトに対応するコンテンツに対する前記処理を実行するよう制御し、
前記判定手段によって前記第２の表示オブジェクトが移動された位置が前記領域ではないと判定した場合に、前記判定手段によって判定された位置に前記第１の表示オブジェクトを格納するための領域を新たに生成し、当該新たな領域に当該第２の表示オブジェクトを移動するよう制御することを特徴とする請求項１に記載のコンテンツ管理装置。
【請求項３】
前記領域の大きさは、格納された前記第１の表示オブジェクトの個数または前記第１の表示オブジェクトに対応するコンテンツの容量の合計に応じて決定されることを特徴とする請求項１または２に記載のコンテンツ管理装置。
【請求項４】
前記表示制御手段は、前記表示部に表示されたすべての領域に外接する矩形が、前記表示部の内側に収まるように表示サイズを設定することを特徴とする請求項１乃至３のいずれか１項に記載のコンテンツ管理装置。
【請求項５】
前記表示制御手段はさらに、前記第１の表示オブジェクトに対応するコンテンツに対して特定の処理を行うことを指示するための特定処理実行領域を表示するよう制御し、
前記指示受け付け手段はさらに、前記領域を前記表示部上で移動させる指示を受け付け、
前記判定手段はさらに、前記指示受け付け手段により前記領域が移動された位置を判定し、
前記判定手段によって領域が移動された位置が前記特定処理実行領域であると判定した場合に、当該領域に格納された前記第１の表示オブジェクトに対応するコンテンツに対して一括して前記特定の処理を実行することを特徴とする請求項１乃至４のいずれか１項に記載のコンテンツ管理装置。
【請求項６】
前記特定の処理は、印刷、メール送信、削除の少なくとも１つであることを特徴とする請求項５のコンテンツ管理装置。
【請求項７】
前記領域は、格納された前記第１の表示オブジェクトを表示することができる領域であることを特徴とする請求項１乃至６のいずれか１項に記載のコンテンツ管理装置。
【請求項８】
前記領域に格納された前記第１の表示オブジェクトに対応するコンテンツを同一の集合として管理するための領域管理手段を更に有することを特徴とする請求項１乃至７のいずれか１項に記載のコンテンツ管理装置。
【請求項９】
前記第２の表示オブジェクトによって指示される前記処理は、前記領域に格納された前記第１の表示オブジェクトに対応するコンテンツに対して一括して属性情報を付与する処理であることを特徴とする請求項２に記載のコンテンツ管理装置。
【請求項１０】
前記第２の表示オブジェクトによって指示される前記処理は、前記領域に格納された前記第１の表示オブジェクトに対応するコンテンツに対して一括して行う印刷処理、送信処理、スライドショー表示処理のうち少なくとも１つの処理であることを特徴とする請求項２に記載のコンテンツ管理装置。
【請求項１１】
前記指示受け付け手段はさらに、前記領域を前記表示部上で移動させる指示を受け付け、
前記領域のうち一の領域が他の領域に移動されると、
前記表示制御手段が前記一の領域と前記他の領域を１つの領域として合併して表示するよう制御し、
前記制御手段が前記一の領域と他の領域に格納されていた前記第１の表示オブジェクトを、前記合併して表示された１つの領域に格納するよう制御することを特徴とする請求項１乃至１０のいずれか１項に記載のコンテンツ管理装置。
【請求項１２】
前記指示受け付け手段はさらに、前記領域を前記表示部上で移動させる指示を受け付け、
前記領域のうち一の領域が他の領域に移動されると、
前記表示制御手段が前記一の領域と前記他の領域を１つの領域として合併して表示するよう制御し、
前記制御手段が前記一の領域と他の領域に付加されていた前記第２の表示オブジェクトを、前記合併して表示された１つの領域に付加するよう制御することを特徴とする請求項２に記載のコンテンツ管理装置。
【請求項１３】
表示部に、コンテンツを表す第１の表示オブジェクトと、前記第１の表示オブジェクトを格納するための領域とを表示するよう制御する表示制御ステップと、
前記第１の表示オブジェクトを前記表示部上で移動させる指示を受け付ける指示受け付けステップと、
前記指示受け付けステップにより前記第１の表示オブジェクトが移動された位置を判定する判定ステップと、
前記判定ステップによって前記第１の表示オブジェクトが移動された位置が前記領域であると判定した場合に、当該第１の表示オブジェクトを当該領域に格納するよう制御し、
前記判定ステップによって前記第１の表示オブジェクトが移動された位置が前記領域ではないと判定した場合に、前記判定ステップによって判定された位置に当該第１の表示オブジェクトを格納するための領域を新たに生成し、当該新たな領域に当該第１の表示オブジェクトを格納するよう制御する制御ステップ
とを有することを特徴とするコンテンツ管理方法。
【請求項１４】
表示部に、コンテンツを表す第１の表示オブジェクトと、前記第１の表示オブジェクトを格納するための領域と、前記領域に格納された前記第１の表示オブジェクトに対応するコンテンツに対する処理を指示するための第２の表示オブジェクトとを表示するよう制御する表示制御手段と、
前記第２の表示オブジェクトを前記表示部上で移動させる指示を受け付ける指示受け付け手段と、
前記指示受け付け手段により前記第２の表示オブジェクトが移動された位置を判定する判定手段と、
前記判定手段によって前記第２の表示オブジェクトが移動された位置が前記領域であると判定した場合に、当該第２の表示オブジェクトを当該領域に移動して当該領域に格納された前記第１の表示オブジェクトに対応するコンテンツに対する前記処理を実行するよう制御し、
前記判定手段によって前記第２の表示オブジェクトが移動された位置が前記領域ではないと判定した場合に、前記判定手段によって判定された位置に前記第１の表示オブジェクトを格納するための領域を新たに生成し、当該新たな領域に当該第２の表示オブジェクトを移動するよう制御することを特徴とするコンテンツ管理装置。
【請求項１５】
表示部に、コンテンツを表す第１の表示オブジェクトと、前記第１の表示オブジェクトを格納するための領域と、前記領域に格納された前記第１の表示オブジェクトに対応するコンテンツに対する処理を指示するための第２の表示オブジェクトとを表示するよう制御する表示制御ステップと、
前記第２の表示オブジェクトを前記表示部上で移動させる指示を受け付ける指示受け付けステップと、
前記指示受け付けステップにより前記第２の表示オブジェクトが移動された位置を判定する判定ステップと、
前記判定ステップによって前記第２の表示オブジェクトが移動された位置が前記領域であると判定した場合に、当該第２の表示オブジェクトを当該領域に移動して当該領域に格納された前記第１の表示オブジェクトに対応するコンテンツに対する前記処理を実行するよう制御し、
前記判定ステップによって前記第２の表示オブジェクトが移動された位置が前記領域ではないと判定した場合に、前記判定ステップによって判定された位置に前記第１の表示オブジェクトを格納するための領域を新たに生成し、当該新たな領域に当該第２の表示オブジェクトを移動するよう制御する制御ステップと
を有することを特徴とするコンテンツ管理方法。
【請求項１６】
表示部に、コンテンツを表す第１の表示オブジェクトと、前記第１の表示オブジェクトを格納するための領域とを表示するよう制御する表示制御手段と、
前記第１の表示オブジェクトを前記表示部上で移動させる指示を受け付ける指示受け付け手段と、
前記指示受け付け手段により前記第１の表示オブジェクトが移動された位置を判定する判定手段とを有し、
前記判定手段によって前記第１の表示オブジェクトが移動された位置が前記領域であると判定された場合に、当該第１の表示オブジェクトが当該領域に格納され、
前記判定手段によって前記第１の表示オブジェクトが移動された位置が前記領域ではないと判定された場合に、前記判定手段によって判定された位置に当該第１の表示オブジェクトを格納するための新たな領域を表示するように前記表示制御手段が制御し、当該新たな領域に当該第１の表示オブジェクトが格納されることを特徴とするコンテンツ管理装置。
【請求項１７】
表示部に、コンテンツを表す第１の表示オブジェクトと、前記第１の表示オブジェクトを格納するための領域とを表示するよう制御する表示制御ステップと、
前記第１の表示オブジェクトを前記表示部上で移動させる指示を受け付ける指示受け付けステップと、
前記指示受け付けステップにより前記第１の表示オブジェクトが移動された位置を判定する判定ステップとを有し、
前記判定ステップによって前記第１の表示オブジェクトが移動された位置が前記領域であると判定された場合に、当該第１の表示オブジェクトが当該領域に格納され、
前記判定ステップによって前記第１の表示オブジェクトが移動された位置が前記領域ではないと判定された場合に、前記判定ステップによって判定された位置に当該第１の表示オブジェクトを格納するための新たな領域が表示され、当該新たな領域に当該第１の表示オブジェクトが格納されることを特徴とするコンテンツ管理方法。
【請求項１８】
コンピュータを、請求項１乃至１２、１４，１６のいずれか１項に記載されたコンテンツ管理装置の各手段として機能させるプログラム。
【請求項１９】
コンピュータを、請求項１乃至１２、１４，１６のいずれか１項に記載されたコンテンツ管理装置の各手段として機能させるプログラムを記録したコンピュータが読み取り可能な記録媒体。
【手続補正２】
【補正対象書類名】明細書
【補正対象項目名】０００９
【補正方法】変更
【補正の内容】
【０００９】
上記の課題を解決するために本発明の請求項１に記載のコンテンツ管理装置は、
表示部に、コンテンツを表す第１の表示オブジェクトと、前記第１の表示オブジェクトを格納するための領域とを表示するよう制御する表示制御手段と、
前記第１の表示オブジェクトを前記表示部上で移動させる指示を受け付ける指示受け付け手段と、
前記指示受け付け手段により前記第１の表示オブジェクトが移動された位置を判定する判定手段と、
前記判定手段によって前記第１の表示オブジェクトが移動された位置が前記領域であると判定した場合に、当該第１の表示オブジェクトを当該領域に格納するよう制御し、
前記判定手段によって前記第１の表示オブジェクトが移動された位置が前記領域ではないと判定した場合に、前記判定手段によって判定された位置に当該第１の表示オブジェクトを格納するための領域を新たに生成し、当該新たな領域に当該第１の表示オブジェクトを格納するよう制御することを特徴とする。
【手続補正３】
【補正対象書類名】明細書
【補正対象項目名】００１０
【補正方法】変更
【補正の内容】
【００１０】
また、本発明の請求項１４に記載のコンテンツ管理装置は、
表示部に、コンテンツを表す第１の表示オブジェクトと、前記第１の表示オブジェクトを格納するための領域と、前記領域に格納された前記第１の表示オブジェクトに対応するコンテンツに対する処理を指示するための第２の表示オブジェクトとを表示するよう制御する表示制御手段と、
前記第２の表示オブジェクトを前記表示部上で移動させる指示を受け付ける指示受け付け手段と、
前記指示受け付け手段により前記第２の表示オブジェクトが移動された位置を判定する判定手段と、
前記判定手段によって前記第２の表示オブジェクトが移動された位置が前記領域であると判定した場合に、当該第２の表示オブジェクトを当該領域に移動して当該領域に格納された前記第１の表示オブジェクトに対応するコンテンツに対する前記処理を実行するよう制御し、
前記判定手段によって前記第２の表示オブジェクトが移動された位置が前記領域ではないと判定した場合に、前記判定手段によって判定された位置に前記第１の表示オブジェクトを格納するための領域を新たに生成し、当該新たな領域に当該第２の表示オブジェクトを移動するよう制御することを特徴とする。